(57)【要約】【課題】表示角度が可変である平面ディスプレイ・モニタであっても、キーボード・ユニットを使用していないときはキーボード・ユニットを簡単かつ確実に平面ディスプレイ・モニタに沿わせて収納し、机上のスペースを空けることが出来るキーボード・ユニット、平面ディスプレイ・モニタ、およびそれらを含む情報処理装置を、特別な形状の再設計を必要とせずに提供する。【解決手段】該キーボード・ユニット２を、その右端または左端が載置面４に接した状態で、該平面ディスプレイ・モニタ１のディスプレイ・ハウジング１１の側面部１１ａに沿わせて止着収納できるように、面ファスナー３ｂを該キーボード・ユニット２の裏面と、ディスプレイ・ハウジングの側面部に設けて構成する。【選択図】　　　　図１
2004046543.tif 000002
【特許請求の範囲】
【請求項１】
表示面角度が可変であり載置面に置かれる平面ディスプレイ・モニタを含む情報処理装置用キーボード・ユニットであって、該キーボード・ユニットを、その右端または左端が載置面に接した状態で、該平面ディスプレイ・モニタのディスプレイ・ハウジングの側面部に沿わせて止着収納できるように、面ファスナが、該キーボード・ユニットの裏面に設けてある、または該キーボード・ユニットの裏面に設けられるようにアクセサリとして供給される、ことを特徴とするキーボード・ユニット。
【請求項２】
キーボード・ユニットを含む情報処理装置用の、表示面角度が可変であり載置面に置かれる平面ディスプレイ・モニタであって、該キーボード・ユニットを、その右端または左端が載置面に接した状態で、該平面ディスプレイ・モニタのディスプレイ・ハウジングの側面部に沿わせて止着収納できるように、面ファスナが、該側面部に貼ってある、または該側面部に貼れるようにアクセサリとして供給される、ことを特徴とする平面ディスプレイ・モニタ。
【請求項３】
請求項１のキーボード・ユニットと請求項２の平面ディスプレイ・モニタを含む情報処理装置。
【発明の詳細な説明】
【０００１】
【発明の属する技術分野】
本発明は、机上等で使用する情報処理装置用キーボード・ユニット、平面ディスプレイ・モニタ、及び情報処理装置に関わるものである。
【０００２】
【従来の技術】
情報処理装置のディスプレイ・モニタはＣＲＴタイプからＬＣＤを使った平面型に移行しつつあり、机上の占有面積が小さくなった。しかしながら、キーボード・ユニットは一定の大きさが必要であり、使用していないときにもかなりの面積を占有してしまう。日本の家屋や事務所では、十分大きな机は置けない場合が多い。そこで小さな机でペーパーワークをする場合、このキーボード・ユニットが邪魔になる。ＣＲＴタイプのディスプレイ・モニタの場合は、キーボード・ユニットを使用していない場合、その上に置いて収納することが可能であった。ところがＬＣＤを使った平面型ディスプレイ・モニタの上部には、キーボード・ユニットを置ける広さはない。そこで特開平１１−２１９２２９には、キーボード・ユニットを使用していないときは、キーボード・ユニットを平面ディスプレイ・モニタのスタンドの下部（転倒防止脚）上に収納する情報処理装置が開示されている。
【０００３】
【発明が解決しようとする課題】
ところでこの情報処理装置においては、平面ディスプレイ・モニタのスタンド上に、キーボード・ユニットが滑らずに収納できるよう、スタンドを専用の形状に設計する必要があり、長い開発リードタイムと、多額の金型費用が必要であった。
【０００４】
一方、キーボード・ユニットを平面ディスプレイ・モニタに立てかける方法も考えられるが、これだけではきわめて不安定であり、安心してペーパーワークをすることはできない。そこでキーボード・ユニットを平面ディスプレイ・モニタに立てかけ、簡単に止める方法が望まれるが、平面ディスプレイ・モニタの表示面角度が可変になっているため、キーボード・ユニットと平面ディスプレイ・モニタとの相対位置および角度関係が定まらない。このため、簡単で確実にキーボード・ユニットを止める方法はなかった。
【０００５】
本発明はこのような技術的背景のもとになされたものである。従って、その目的は、表示面角度が可変である平面ディスプレイ・モニタであっても、キーボード・ユニットを使用していないときはキーボード・ユニットを簡単かつ確実に平面ディスプレイ・モニタに沿わせて収納し、机上のスペースを空けることが出きるキーボード・ユニット、平面ディスプレイ・モニタ、およびそれらを含む情報処理装置を、特別な形状の再設計を必要とせずに提供することである。
【０００６】
【課題を解決するための手段】
上記目的を達成するため、請求項１のキーボード・ユニットは表示面角度が可変であり載置面に置かれる平面ディスプレイ・モニタを含む情報処理装置用キーボード・ユニットであって、該キーボード・ユニットを、その右端または左端が載置面に接した状態で、該平面ディスプレイ・モニタのディスプレイ・ハウジングの側面部に沿わせて止着収納できるように、面ファスナが、該キーボード・ユニットの裏面に設けてある、または該キーボード・ユニットの裏面に設けられるようにアクセサリとして供給される、ことを特徴とする。
【０００７】
請求項２の平面ディスプレイ・モニタは、キーボード・ユニットを含む情報処理装置用の、表示面角度が可変であり載置面に置かれる平面ディスプレイ・モニタであって、該キーボード・ユニットを、その右端または左端が載置面に接した状態で、該平面ディスプレイ・モニタのディスプレイ・ハウジングの側面部に沿わせて止着収納できるように、面ファスナが、該側面部に貼ってある、または該側面部に貼れるようにアクセサリとして供給される、ことを特徴とする。
【０００８】
請求項３の情報処理装置は、上記のキーボード・ユニットと上記の平面ディスプレイ・モニタを含むことを特徴とする。
【０００９】
【発明の実施の形態】
以下、この発明の一実施例を、図を参照して説明する。
【００１０】
図２は、ＬＣＤディスプレイ等を使用した平面ディスプレイ・モニタを示す。表示面を構成する平面ディスプレイ１２は、ディスプレイ・ハウジング１１により周辺と後面をカバーされている。そして、ディスプレイ・ハウジング１１は、図４に示すように、スタンド１４の上端の軸構造１３により回動可能にスタンドと連結されており、所定の角度範囲で表示面角度を調節できるようになっている。一方、図３に示すキーボード・ユニット２は複数のキー（図示せず）が配置されており、平面ディスプレイ・モニタの前側（使用者側）に置かれて入力装置として使われる。
【００１１】
本実施例においては、図２に示すようにディスプレイ・ハウジング１１の側面部１１ａの上端部に、面ファスナ３ａを貼る。他方、図３に示すように、キーボードユニット２の右端を机上面にあてて立てたときに上記の面ファスナ３ａの位置に対応するキーボード・ユニット２の裏面に、面ファスナ３ｂを貼る。このように双方に面ファスナを貼る事によって、キーボード・ユニットを使用しないときは、その右端を机上面にあてて立て、裏面をディスプレイ・ハウジングの側面部に沿わして面ファスナにより止着収納することができる。
【００１２】
図４は、面ファスナ３ａ，３ｂの位置と寸法を決める方法を説明するために、キーボード・ユニット２をディスプレイ・ハウジング１１の右の側面部に沿わせて収納した状態で、右側からキーボード・ユニット２を透視して見た図である。この図に示すように、ディスプレイ表示面が回転したときは、面ファスナ３ａが移動と回転をする。例えば表示面の角度が最小角度Ａから最大角度Ｃまで上向きに２３度変化すると、ディスプレイ・ハウジングの側面部上端に位置する面ファスナ３ａも軸構造１３を中心にした円弧上を移動し、それと同時に面ファスナ自体も２３度の回転成分を持つ。他方、キーボード・ユニットは、その右端が机上に接した状態で、モニタ・スタンドに対して一定の位置に立てられるので、その裏面の面ファスナ３ｂの位置は動かない。従って、面ファスナ３ｂに対して、面ファスナ３ａは、位置が移動すると同時に回転する。
【００１３】
面ファスナ３ａの回転成分については、面ファスナ３ａがどんなに回転しようと、面ファスナ３ｂに適切に当たる限り、止着効果は落ちない。これは面ファスナの特性によるものであり、面ファスナを使うことのメリットである。
【００１４】
面ファスナ３ａの位置の移動については、次の配慮により吸収できる。表示面角度が最小角度Ａから最大角度Ｃまで変化した場合、ディスプレイ・ハウジングの側面部１１ａに貼った面ファスナ３ａも、ＰａからＰｂをへてＰｃに移動する。この位置変化は、上下方向および前後（使用者側を前とした）方向の成分を含む。従って、キーボード・ユニットの裏面に貼る面ファスナ３ｂは、面ファスナ３ａの前後の位置変化をカバーする長さとする。面ファスナ３ａの上下移動をカバーするためには、面ファスナ３ａの長さを、その最小角度Ａにおける位置Ｐａおよび最大角度Ｃにおける位置Ｐｃでも面ファスナ３ｂとの止着しろが十分ある長さに設定する。または、この面ファスナ３ａの上下長は短くしておいて、逆にキーボード・ユニット側の面ファスナ３ｂの上下長を大きくしてもよい。
【００１５】
キーボード・ユニット側の面ファスナ３ｂを貼る位置は、表示面が可変角度の中心Ｂにある時に、平面ディスプレイ・モニタに貼られた面ファスナ３ａの中心位置Ｐｂｍと面ファスナ３ｂの中心位置が概略一致するように貼り付ける。その貼りつけ角度は、机上面と平行、または面ファスナ３ａの描く軌跡の接線方向、またはこれらの中間程度でよい。
【００１６】
このように構成された情報処理装置は、キーボード・ユニット２を使用していないときは、図１に示すように、キーボード・ユニットの右端が机上に接した状態で立てて、ディスプレイ・ハウジングの右側面に沿わせて止着収納することができる。そして、面ファスナを使用したために、平面ディスプレイ・モニタの表示面角度が変わった場合でも、キーボード・ユニットとディスプレイ・ハウジング間の相対位置のずれと角度の変化（回転成分）とを吸収することが可能であり、表示面の角度に関わらずキーボード・ユニット２が確実に止着される。従って、机上のキーボード・ユニットのスペースを有効に利用できる。なお、キーボード・ユニットを再度使用する際は、ディスプレイ・ハウジングから簡単に引き離すことができる。
【００１７】
なお、キーボード・ユニットから出るケーブルの位置によって、ディスプレイ・ハウジングの右の側面部に沿わせて収納するのではなく、左の側面部に沿わせて収納したほうが良い場合もあることは言うまでもない。また、十分広い机に平面ディスプレイ・モニタとキーボード・ユニットを設置した使用者は、このようにキーボード・ユニットを立てて収納する必要がない。その場合のために、面ファスナ３ａ，３ｂをキーボード・ユニットまたは平面ディスプレイ・モニタのアクセサリーとして供給し、必要になった使用者のみが実際に貼るようにしてもよい。また、面ファスナには、織編物タイプとモールドタイプがあり、織編物タイプは貼りつけるのが良いが、モールドタイプでは、ネジ止め等も可能である。
【００１８】
【発明の効果】
以上説明したように、本発明によれば、キーボード・ユニットを使用していないときは、キーボード・ユニットをディスプレイ・ハウジングの側面部に（平面ディスプレイ・モニタの表示面角度が可変であっても）沿わせて止着収納し、机上のスペースを空けることができる平面ディスプレイ・モニタ、キーボード・ユニット、及びそれらを含む情報処理装置を、特別な外形変更を必要とせずに提供できる。
【図面の簡単な説明】
【図１】キーボード・ユニットを平面ディスプレイ・モニタに止着収納した状態を示す図である。
【図２】平面ディスプレイ・モニタに設けられた面ファスナを示す図である。
【図３】キーボード・ユニットに設けられた面ファスナを示す図である。
【図４】面ファスナの位置と必要寸法を決める方法を示すために、キーボードを収納した状態で、右側からキーボードを透かしてみた図である。
【符号の説明】
１　平面ディスプレイ・モニタ
１１　ディスプレイ・ハウジング
１１ａ　ディスプレイ・ハウジングの側面部
１２　平面ディスプレイ
１３　軸構造
１４　スタンド
２　キーボード・ユニット
３ａ，３ｂ　面ファスナ
４　載置面
Ａ　表示面の最小角度
Ｂ　表示面の中心角度
Ｃ　表示面の最大角度
Ｐａ　表示面角度Ａにおける面ファスナ３ａの位置
Ｐｂ　表示面角度Ｂにおける面ファスナ３ａの位置
Ｐｃ　表示面角度Ｃにおける面ファスナ３ａの位置
【図１】
2004046543.tif 000003
【図２】
2004046543.tif 000004
【図３】
2004046543.tif 000005
【図４】
2004046543.tif 000006